(57)【特許請求の範囲】
【請求項１】
フィルタープレス装置であって、多数の実質上平行なフィルタープレート（４）で１個のユニット（２）として組み立てられ且つ閉じた容器を構成する１個の実質上剛直な殻（８）内に配置されその中にプレート（４）を通してろ過されるべき媒体が加圧状態で供給されることができる物と、１個の実質上非透過性第１膜（１８）で殻（８）を内張りし且つ第１膜（１８）と殻（８）の間の空間に加圧媒体を供給する際に第１膜（１８）がユニット（２）方向に押されてろ過工程中にユニット（２）に固定されユニットに対して１個の実質上非圧縮性の境界壁を区画する物とを包含している装置において、第１膜（１８）とフィルタープレート（４）のユニット（２）との間に挾まれた中間区域（２６）を有する１個の第２膜（２４）を備え、この配置により第１膜（１８）がユニット（２）に加圧され且つユニット（２）に軸方向の圧縮力が作用した時に、第２膜（２４）の中間区域（２６）がユニット（２）と共に動き且つ第１膜（１８）に対して摺動し、これにより第１膜（１８）が実質上静止状態に保持されるようにされていることを特徴としている、フィルタープレス装置。
【請求項２】
請求項１のフィルタープレス装置において、第２膜（２４）は殻（８）内に固定されて実質上殻の長さだけ延び且つ中間区域（２６）とその一固定端部との間の緩い区域（２８）を包含し、上記緩い区域（２８）の長さはフィルタープレート（４）のユニット（２）の圧縮時に第２膜（２４）内に応力を生ずることなくユニットに充分な動きを提供できるように構成されている、フィルタープレス装置。
【請求項３】
請求項２のフィルタープレス装置において、第２膜（２４）の緩い区域（２８）は反り返し形状を呈し且つ殻（８）の大径端室（３２）内に収容されている、フィルタープレス装置。
【請求項４】
請求項１ないし３の何れかのフィルタープレス装置において、第２膜（２４）と殻（８）の間の空間は液体を収容し、この液体は圧縮可能又は非圧縮性である、フィルタープレス装置。
【請求項５】
請求項１ないし３の何れかのフィルタープレス装置において、フィルタープレート（４）のユニット（２）の圧縮の為の１個の水圧ラムを含み、このラムは１個のピストン（３６）を持ち、このピストンは殻（８）内に軸方向に延びて端部のフィルタープレート（４）に係合し、第２膜（２４）と殻（８）の間の空間は加圧状態の液体を包含し、この液体は第２膜（２４）をピストン（３６）に噛み合わすように加圧して上記ピストン（３６）を殻（８）内でシールする、フィルタープレス装置。
【請求項６】
請求項５のフィルタープレス装置において、第２膜（２４）の緩い区域（２８）の自由端部は１個の環状リップシール（４０）を含み、このリップシールはピストン（３６）の表面に係合している、フィルタープレス装置。
【発明の詳細な説明】
【０００１】
【発明の属する技術分野】
本発明はフィルタープレス装置に関するもので、より詳細には１個のユニット又は組として組み合わされ且つ１個の実質的に剛直な外殻内に収容される多数の実質上平行なフィルタープレートを包含し１個の閉じた圧力容器を構成する装置であって、ユニットと殻の一方又は双方はユニットが殻内にシールされてろ過されるべき媒体をプレートを通して殻内に加圧状態で供給可能な一つの位置と、ユニットが殻から少なくとも部分的に動かされてプレート間から結果としてのろ過締めかすを排出可能な一つの位置との間で可動とされている。
【０００２】
【従来の技術】
英国特許第２２８２９７７号はこのタイプであり且つ殻内に１個の筒状の可撓性膜を備えその膜が膨脹して膜がユニットの外周に押し付けられそれとの間にろ過工程中に実質的に非圧縮性の境界壁を形成する装置を開示している。ろ過工程が終了し、且つろ過締めかすを排出できるようにユニットを殻から動かすことが望まれる場合は、膜は収縮され、これにより殻／膜とユニットとの間に隙間が形成される。このようにしてユニットは殻とユニット間が干渉することなく殻から取り外すことができ、ろ過締めかすをユニットから取り出すことができる。
【０００３】
ろ過工程が終わり、且つろ過締めかすの取出しを可能とする為にユニットを殻から移動させる前に、ろ過締めかすから余分な湿気を絞り出す為にユニットを圧縮可能にすることがしばしば求められる。
【０００４】
これは水圧ラム、膨脹式バッグ又は同種な手段により達成することができ、これらは膜がユニットに接触した状態でユニットを軸方向に圧縮する。
【０００５】
このような構造は比較的に少数のフィルタープレートを持つユニットと共に使用するか又はあまり圧縮性の大きくないろ過締めかすが生ずる用途ではよく作動し、後者の場合ユニットの軸方向の動きが制限されている為に膜上に殆ど応力が作用しない。
【０００６】
しかしながら、締めかすが比較的に圧縮性があり且つ／又は多くのフィルタープレートが存在する場合は、圧縮工程中にユニットの第１のフィルタープレートは比較的に長い距離を動き、且つ、膜はユニットに対して加圧されるので、膜の材料に過度な応力がかかり、それにより膜の破損が起こり得る。
【０００７】
【発明が解決しようとする課題】
上述のタイプのフィルタープレート装置であってユニットの圧縮工程中に膜に作用する過度の応力を除去する物を提供し得ることは望ましい。
【０００８】
【課題を解決するための手段】
本発明によるとフィルタープレス装置が提供され、このフィルタープレス装置は多数の実質上平行なフィルタープレートで１個のユニットとして組み立てられ且つ閉じた容器を構成する１個の実質上剛直な殻内に配置されその中にプレートを通してろ過されるべき媒体が加圧状態で供給されることができる物と、１個の実質上非透過性第１膜で殻を内張りし且つ第１膜と殻の間の空間に加圧媒体を供給する際に第１膜がユニット方向に押されてろ過工程中にユニットに固定されユニットに対して１個の実質上非圧縮性の境界壁を区画する物とを包含している物において、第１膜とフィルタープレートのユニットとの間に挾まれた中間区域を有する１個の第２膜を備え、この配置により第１膜がユニットに加圧され且つユニットに軸方向の圧縮力が作用した時に、第２膜の中間区域がユニットと共に動き且つ第１膜に対して摺動し、これにより第１膜が実質上静止状態に保持されるようにされていることを特徴としている。
【０００９】
このようにしてユニットのプレートの軸方向の動きが第２膜により達成され、第１膜がその中で第２膜が摺動する際に応力を受けることなく保持されることは評価されるべきである。
【００１０】
本発明の好ましい実施例において、第２膜は殻内に固定されて実質上殻の長さだけ延び且つ中間区域とその一固定端部との間の緩い区域を包含し、上記緩い区域の長さはフィルタープレートのユニットの圧縮時に第２膜内に応力を生ずることなくユニットに充分な動きを提供できるように構成されている。
【００１１】
具合よく、第２膜と殻の間の空間は液体を収容し、この液体は圧縮可能又は非圧縮性である。
【００１２】
フィルタープレートのユニットの圧縮の為の１個の水圧ラムを含み、このラムは１個のピストンを持ち、このピストンは殻内に軸方向に延びて端部のフィルタープレートに係合し、第２膜と殻の間の空間は加圧状態の液体を包含し、この液体は第２膜をピストンに噛み合わすように加圧して上記ピストンを殻内でシールする。
【００１３】
単なる一例として、本発明の１個の実施例が添付図面との関連において詳細に記述されるであろう。
【００１４】
【発明の実施の形態】
図１において、装置は全体的に符号２で示されている１個のフィルタープレート組又はユニットを含み、このユニットは複数の実質的に平行で且つ離れたフィルタープレート４を含み、このフィルタープレートはそれらの間に弾性的圧縮可能なスペーサー６を持ち又は持たない。
【００１５】
ユニット２は支持フレーム１０上に装着された１個の外殻８内に囲まれており且つ１対の底部レール１２と上部レール１４に沿い可動である。動きは１個の水圧で操作されるトグルリンク１６により得られ、トグルリンクは殻８の後部に作用して殻８をユニット２を囲む閉鎖位置に駆動し、その位置で殻８の開放端部はユニット２の裏板１７に液密に係合する。
【００１６】
図２において、可撓性を持ち且つ実質的に不浸透性シート材料の１個の概ね筒状の第１膜又はライナー１８が殻８内に固着されてユニット２を取り囲んでおり、このライナー１８は殻８の両端にクランプリングにより取り付けてあり、クランプリングの一つは符号２０で示されている。ろ過されるべき媒体の為の殻への入口（図示せず）はライナー１８を通して延びており、一方、殻８内への更に別の１個の入口２２からライナー１８と殻８との間の空間への液体の進入によりライナー１８が公知の態様で膨脹又は収縮する。
【００１７】
可撓性を持ち且つ実質的に不浸透性シート材料の更に１個の概ね筒状の第２膜又はライナー２４がその中間区域２６によりライナー１８とユニット２の間に位置している。ライナー２４の一端（図示せず）は殻８の近接端部にクランプされており、一方、ライナー２４の他端区域は断面略Ｕ形の１個の緩く反り返る部分２８を含み、その自由端部はクランプリング３０により殻８の端壁に固着されている。
【００１８】
ライナー２４の反り返る部分２８は殻８の大径端室３２内に収容されており、その室はその中へ液体を供給する為の１個の入口３４を備えている。
【００１９】
装置を使用する際には、トグルアーム１６が駆動されて殻８がフレーム１０に沿い摺動し殻がフィルタープレートユニット２を完全に包む。代表的には水又はろ過液のような非圧縮性液体が入口３４を通して室３２内に供給され、一方、ライナー１８は殻８の入口２２から入る水又は他の適当な液体により加圧され、その圧力は例えば０．５バールに達する。この液体はユニット２を囲む殻８内の空間を満たしライナー２４の中間区域２６を第１ライナー１８を介してユニット２と係合するように付勢し、ユニット２に対して非圧縮性の緊迫した境界壁を提供し、この壁はユニット２を続いて起こる加圧状態でのろ過に対して効果的にシールする。
【００２０】
普通はスラリーの態様をしたろ過されるべき媒体は、ライナー１８、２４により拘束されたユニットに加圧状態で供給され、ろ過が通常の態様で行われ、ろ過液は排出され締めかすはプレート４間に形成される。
【００２１】
ろ過工程が完了し、かすがユニット２から取り出される前にろ過かすから残りの湿気を取り除く為に、ユニット２は軸方向に圧縮される。
【００２２】
より詳細には、１個の液圧動作式の軸方向可動の圧縮部材３６が殻８内に延びて最も端部のフィルタープレート４に係合し、部材３６の制御された軸方向の動きによりユニット２が裏板１７に対して加圧され、ろ過かすが大体ドライな状態になるまでろ過かすを絞り上げる。
【００２３】
ユニット２を図２で矢印Ａ方向に圧縮する際、第２ライナー２４の中間区域２６はその部分がユニット２に加圧係合していることによりユニット２と共に動き、この動きはライナー２４の反り返る部分２８により達成され、この部分は動き量の増加により拡がり且つライナー２４内の過度な応力の発生を防止する。
【００２４】
室３２内とライナー１８、２４間に液体があることにより第２ライナー２４が第１ライナー１８に沿い且つそれに対して摺動することが可能になり、これにより第１ライナ−１８は圧縮工程中に静止状態且つ応力を受けない状態に保たれる。
【００２５】
このようにして、第２ライナー２４を採用することにより、従来の装置に存在した第１ライナー１８の破裂の可能性の問題を効率的に解決することができる。
【００２６】
ろ過されるべき混合物のライン圧力がライナー１８と殻８の間の空間内の液体圧力に対抗してライナー１８、２４をユニット２から持ち上げ漏洩が生ずるに充分な場合は、装置がその様な漏洩をシールし得ることが望ましい。
【００２７】
これは実際上、室３２内の液体を加圧して第２膜２４を圧縮部材３６上のスムーズな肩部３８に押し付けることにより達成でき、これにより装置を可能性のある漏洩に対してシールする。
【００２８】
具合よく、クランプリング３０の半径方向内側面は圧縮部材３６の面より僅か、典型的には０．５ｍｍだけ離れているので、第２ライナー２４の反り返る部分２８の自由端部は１個の環状リップシール４０を構成し、このリップシールは圧縮部材３６の表面近傍に係合して第２ライナー２４の破損時に装置からの液体の逃げを防止する。
【００２９】
【発明の効果】
第２ライナー２４を採用することにより、従来の装置に存在した第１ライナー１８の破裂の可能性の問題を効率的に解決することができる。ろ過されるべき混合物のライン圧力がライナー１８と殻８の間の空間内の液体圧力に対抗してライナー１８、２４をユニット２から持ち上げ漏洩が生ずるに充分な場合は、装置がその様な漏洩をシールし得ることが望ましい。これは実際上、室３２内の液体を加圧して第２膜２４を圧縮部材３６上のスムーズな肩部３８に押し付けることにより達成でき、これにより装置を可能性のある漏洩に対してシールする。
【図面の簡単な説明】
【図１】  １個の公知のフィルタープレス装置の主要要素を示す概要図である。
【図２】  本発明による１個のフィルタープレス装置の部分図である。
【符号の説明】
２          ユニット
４          フィルタープレート
８          殻
１８        第１膜
２４        第２膜
２６        中間区域
２８        緩い区域（緩く反り返る部分）
３２        大径端室
３６        ピストン
４０        リップシール
【図１】
0004212146.tif 000002
【図２】
0004212146.tif 000003